(57)【要約】【課題】  撮像装置の状態を示す表示を回転移動することによって撮影者に水平に対する傾きを示し、撮影者が撮像装置を補正するのを促し、意図しない傾きが撮影データに残ってしまうことを防ぐ。【解決手段】  傾きセンサ６によって検出された撮像装置本体の傾きは、演算回路７によってレンズを通して入射する光軸周りの成分に分解され、水平に対する傾き角度として４の画像処理回路に入力される。撮像装置の状態データは傾き角度から水平に対する傾き分だけ逆に回転移動され、５の表示部で常に水平と平行になるように表示される。【選択図】  図１
2009141868.tif 000002
【特許請求の範囲】
【請求項１】
水平に対して傾きを検出する傾き検出手段と、前記傾きから撮像装置の傾き角度を算出する演算手段と、撮像装置の状態データを取得するデータ取得手段と、前記状態データを表示する表示手段と、前記状態データの表示を回転移動する演算手段を具備し、
撮像装置の前記状態データの表示を前記傾き角度と逆方向に回転移動し、常に水平と平行になるように表示することを特徴とする撮像装置。
【発明の詳細な説明】
【技術分野】
【０００１】
本発明は傾きセンサを備えた撮像装置に関するものである。
【背景技術】
【０００２】
従来の撮像装置の水平面に対する傾きを撮影者に知らせる手法としては表示部近傍に水準器を取り付ける、あるいは水準器の動作を擬似的に撮像装置本体に取り付けられた表示部に表示するものがある（例えば特許文献１参照。）。また、パイロットランプと表示部に移動表示体を追加することによって撮影者に傾きを知らせるものもある（例えば特許文献２。）。
【特許文献１】特開２０００−１１５６０２号公報
【特許文献２】特開２００２−０７７７１２号公報
【発明の開示】
【発明が解決しようとする課題】
【０００３】
しかしながら、上記従来例では撮像装置本体に部品を追加することによってコストが増大してしまう、もしくは表示部分に新たな表示体を追加することによって表示可能面積が減り、撮影対象が見えにくくなってしまう場合があった。
【０００４】
本出願に係る発明の目的は部品や表示を追加することなく、既存の表示体を用いて撮影中に撮影者に撮像装置の傾きを知らせ、撮像装置を水平に保持するのを促すことにある。
【課題を解決するための手段】
【０００５】
本発明は撮像装置において、水平に対して傾きを検出する傾き検出手段と、前記傾きから撮像装置の傾き角度を算出する演算手段と、撮像装置の状態データを取得するデータ取得手段と、前記状態データを表示する表示手段と、前記状態データの表示を回転移動する演算手段を具備し、
撮像装置の前記状態データの表示を前記傾き角度と逆方向に回転移動し、常に水平と平行になるように表示することを特徴とする。
【発明の効果】
【０００６】
以上説明したように、本発明によれば、撮像装置本体が傾いた場合でも撮像装置の状態を示す表示が常に水平に保たれるため、部品や表示を追加することなく撮影者が水平を確認でき、傾きを修正することが可能である。その結果、意図しない傾きを持った画像が撮影され続けることを防ぐことができる。
【発明を実施するための最良の形態】
【０００７】
次に、本発明の詳細を実施例の記述に従って説明する。
【０００８】
以下、本発明の実施例について詳細に説明する。
【実施例１】
【０００９】
図１は本発明の特徴を最もよく表す構成例である。同図において１は外部の光を受けてアナログデータに変換する撮像素子、２はアナログデータをデジタルデータに変換するアナログ・デジタルコンバータ（ＡＤＣ）、３はデータを一時保管するためのメモリ、４は画像データを処理する画像処理回路、５は画像データと撮像装置の状態を表示する表示部、６は撮像装置の傾きを検出するための傾きセンサ、７は検出された傾きを水平に対する傾き角度に変換する演算回路である。外部からの光は１の撮像素子によってアナログ信号の画像データに変換され、２のＡＤＣに入力された後、デジタルデータに変換され、４の画像処理回路に入力される。また、撮像装置の傾きは６の傾きセンサによって検出され、７の演算回路によってレンズを通して入射する光軸周りの成分に分解され、水平に対する傾き角度として４の画像処理回路に入力される。４の画像処理回路に入力された画像データと傾き角度、図外から取得した撮像装置本体の状態データは３のメモリ上に一旦保存され、４の画像処理回路で演算後に合成されてから、５の表示部に出力される。５の表示部には画像データと演算された撮像装置本体の状態が表示される。
【００１０】
図２に示すような図形を撮影対象とした場合、撮像装置が水平に保たれていれば、撮影中または撮影待機中には表示部に図３の四角枠内のような画像が表示される。枠内の英数字は撮像装置の状態を表すもので、８の表示はレンズが望遠端と広角端の間のどの位置にあるか、９の表示は撮影時間、１０の表示は撮影画質を示したものである。実施例の中ではこれらの状態データを用いているが、撮影中または撮影待機中に撮像装置の状態を表す表示であればどんな形であっても構わない。右側にある２つの矢印は座標軸を表しており、１１の矢印は水平面と垂直、１２の矢印は水平面と平行の向きを示している。これらの矢印は模式的に用いたもので表示部に表示されることはない。撮像装置を水平からわずかに傾けた場合、本発明を実施しない時は表示部には図４の四角枠内のような画像が表示され、撮像装置の状態を示す表示と表示部の相対的な位置関係や角度は変化することはない。それに対して本発明を実施した時は図５の四角枠内のように撮像装置の状態を示す表示を、撮像装置本体が傾けられることによって下側になる端を中心に、常に水平を保つように回転移動させる。撮像装置の状態を示す表示は常に水平を保つため、撮影者は撮像装置の状態を確認する際に同時に撮像装置の傾きを認識することができ、容易に傾きを補正することができる。また、既存の表示を用いているため、部品や表示を追加する必要がない。図６に示すように撮像装置の状態を示す表示をいくつかに区切り、それぞれの表示を中心に回転移動させてもよい。この手法では撮像装置の状態を示す表示と表示部の相対的な位置関係は大きく変化することなく、撮像装置の状態を示す表示が撮像対象と重なって見えにくくなることはなくなる。
【図面の簡単な説明】
【００１１】
【図１】本発明の実施例に係る撮像装置の構成を説明するブロック図である。
【図２】撮影対象の一例を示す図である。
【図３】撮像装置が水平に保たれた場合の表示部の画像を示す図である。
【図４】本発明を実施しない際に撮像装置が傾いた場合の表示部の画像を示す図である。
【図５】本発明を実施した際に撮像装置が傾いた場合の表示部の画像の一例を示す図である。
【図６】本発明を実施した際に撮像装置が傾いた場合の表示部の画像の図５とは異なる一例を示す図である。
【符号の説明】
【００１２】
１  撮像素子
２  ＡＤＣ（アナログデジタルコンバータ）
３  メモリ
４  画像処理回路
５  表示部
６  傾きセンサ
７  演算回路
８  レンズ位置を示す表示
９  撮影時間を示す表示
１０  撮影画質を示す表示
１１  水平面と垂直な向きを示す矢印
１２  水平面と平行な向きを示す矢印
【図１】
2009141868.tif 000003
【図２】
2009141868.tif 000004
【図３】
2009141868.tif 000005
【図４】
2009141868.tif 000006
【図５】
2009141868.tif 000007
【図６】
2009141868.tif 000008